(57)【要約】【課題】            外気と室内の空気との混合が良好で、停止時でも花粉や塵等が室内へ入りこんでしまうことのない空気清浄化機能を備えた換気装置を得る。【解決手段】        室内吸込口１６により室内に通じる内気空間部１１と、室外吸込口３によって室外に通じる外気空間部１２を混合室１３によって連絡させた下面の開放した本体箱体１に給気送風機２を組込み、給気送風機２の吸込口を混合室１３に連絡させ、給気送風機２の吐出口を本体箱体１の開放した下面に設けた室内に通じる室内吹出口９に臨ませて、混合室１３で混合した室内の空気と外気を給気送風機２によって攪拌して室内吹出口９から室内へ吹出すように構成し、混合室１３に通じる外気空間部１２に空気浄化フィルター１７を着脱可能に設ける。【選択図】          図１
2006250389.tif 000002
【特許請求の範囲】
【請求項１】
室内吸込口により室内に通じる内気空間部と、室外吸込口によって室外に通じる外気空間部を混合室によって連絡させた下面の開放した本体箱体に給気送風機を組込み、この給気送風機の吸込口を前記混合室に連絡させ、前記給気送風機の吐出口を前記本体箱体の開放した下面に設けた室内に通じる室内吹出口に臨ませて、前記混合室で混合した室内の空気と外気を前記給気送風機によって攪拌して前記室内吹出口から室内へ吹出すように構成するとともに、前記混合室に通じる前記外気空間部に空気浄化フィルターを着脱可能に設け、前記室外吸込口から吸込まれる外気については、常にこの空気浄化フィルターを通過するようにした換気装置。
【請求項２】
請求項１に記載の換気装置であって、本体箱体の開放部に水密状態に前面隔壁部材を蓋状に嵌め装着し、この前面隔壁部材に室内吹出口と室内吸込口とを離隔する隔離壁と、空気浄化フィルターを装着する固定部を設けた換気装置。
【請求項３】
請求項２に記載の換気装置であって、前面隔壁部材に給気送風機を本体箱体内に固定する機能を備えた換気装置。
【請求項４】
請求項１〜請求項３までのいずれかに記載の換気装置であって、室外吸込口に開閉シャッターを設けた換気装置。
【請求項５】
請求項１〜請求項４までのいずれかに記載の換気装置であって、室内吸込口にその開口面積を可変する風量調整手段を設けた換気装置。
【請求項６】
請求項１〜請求項５までのいずれかに記載の換気装置であって、電源接続用の接続ターミナルを有し、その接続ターミナルを本体箱体内の給気送風機の風路外部分に設けた換気装置。
【請求項７】
請求項６に記載の換気装置であって、前面隔壁部材に接続ターミナルを呈出する開放部を設け、この開放部にはこれを密閉する開閉可能の端子カバーを設けた換気装置。
【請求項８】
請求項７に記載の換気装置であって、前面隔壁部材と端子カバーが印籠の嵌合いの閉止形態である換気装置。
【請求項９】
請求項７又は請求項８のいずれかに記載の換気装置であって、端子カバーの閉止状態の維持は、端子カバーと前面隔壁部材に設けた掛止め構造の掛止めによって行われる換気装置。
【請求項１０】
請求項６〜請求項９までのいずれかに記載の換気装置であって、接続ターミナル及びコンデンサー等の電気部品が収納ケースに収められている換気装置。
【請求項１１】
請求項１〜請求項１０までのいずれかに記載の換気装置であって、給気送風機の電動機を取付ける電動機取付板を風路側と隔離するように設け、前記電動機を反風路側に設けるとともに、この電動機の出力軸を引出す部分の風路側にリング状の立上りを設け、前記給気送風機の羽根車のボスには、この立上りの内側に隙間をもって嵌まる筒状のリブを設けた換気装置。
【請求項１２】
請求項１〜請求項１１までのいずれかに記載の換気装置であって、本体箱体の下面の開放部を蓋状に覆う着脱可能の化粧パネルを備え、この化粧パネルは、支持枠と、この支持枠の表面側を覆う回動可能に設けられたパネルとからなり、化粧パネルには室内吸込口に通じる吸込み開口と、室内吹出口に通じる吹出し開口を周辺部に有する換気装置。
【請求項１３】
請求項１２に記載の換気装置であって、化粧パネルに吹出し開口と吸込み開口を隔てる離隔壁を設けた換気装置。
【請求項１４】
請求項１２又は請求項１３に記載の換気装置であって、支持枠の縁部に吹出し空気流をパネル側に向ける風向変更構造を設けた換気装置。
【請求項１５】
請求項１２〜請求項１４までのいずれかに記載の換気装置であって、化粧パネルの吹出し開口に吹出し処理風量を均一化する整流板を設けた換気装置。
【請求項１６】
請求項１２〜請求項１５までのいずれかに記載の換気装置であって、化粧パネルの支持枠とパネルの間に芳香等を発散するカートリッジを収納できる収納部を設けた換気装置。
【請求項１７】
請求項１２〜請求項１６までのいずれかに記載の換気装置であって、化粧パネルのパネルの縁部及び縁部より内側に立上りを設けた換気装置。
【請求項１８】
請求項１〜請求項１７までのいずれかに記載の換気装置であって、空気浄化フィルターは、フィルター枠に収められ、このフィルター枠には機能の異なる数種の空気浄化フィルターが収納されている換気装置。
【請求項１９】
外気を取込む給気送風機を組込んだ下面の開放した本体箱体の前面には、樹脂製の化粧パネルが蓋状態に着脱可能に装着され、前記本体箱体の下面には室内吹出口が開口し、風路の上流部にはフィルターが設けられた換気装置であって、その化粧パネルは、支持枠と、この支持枠の表面側を覆う回動可能に設けられたパネルとからなり、パネルには室内吹出口に通じる吹出し開口を周辺部に備え、前記パネルを回動させることにより、前記フィルターが呈出する構成の換気装置。
【請求項２０】
請求項１９に記載の換気装置であって、支持枠には、その縁部に吹出し空気流をパネル側に向ける風向変更構造を設けた換気装置。
【発明の詳細な説明】
【技術分野】
【０００１】
本発明は、外気を取込み、室内空気と混合して室内に吹出す換気装置や外気を室内へ給気する換気装置に関するものである。
【背景技術】
【０００２】
室外の空気を室内へ取入れる給気を行う換気装置の中には、吸気ファンと循環ファンを単一の電動機で駆動するようにしたものがある。吸気ファンによって外気を給気し、循環ファンによって室内の空気を取込み、外気と室内の空気を混合して室内へ吹出すようにしている。また、室内の空気を循環させず、専ら外気の給気により換気を行うものもある。なお、この種の従来技術に関しては、特許文献１及び特許文献２に開示されたものが有る。
【０００３】
【特許文献１】特開２００２−７１１８５号公報
【特許文献２】特開平４−３０９７３９号公報
【発明の開示】
【発明が解決しようとする課題】
【０００４】
上記この種の従来の換気装置においては、吸気ファンによって半径方向に吹出される外気と、循環ファンによって半径方向に吹出される室内の空気は、空気抵抗となる清浄フィルターが送風口に設けられているとはいえ、あまり具合よく混合しないで室内へ吹出される。清浄フィルターは、吸気ファン及び循環ファンを停止した場合には機能せず、室外の空気がそのまま自然状態で室内へ入り込むことになる。この状態では外気に含まれる花粉や塵、そして虫なども室内へ入りこんでしまう。また、清浄フィルターがグリル外周に設けた送風口の内側に設けられているので、グリルを外さないと清浄フィルターを着脱できず、フィルターのメンテナンスがとてもし辛いという問題点がある。
【０００５】
本発明は、係る従来の問題点を解決するためになされたものであって、その課題とするところは、外気と室内の空気との混合が良好で、停止時でも花粉や塵、そして虫などが室内へ入りこんでしまうことのない空気清浄化機能を備えた換気装置を得ることであり、フィルターのメンテナンスがし易い換気装置を得ることであり、その換気装置の機能を拡充することである。
【課題を解決するための手段】
【０００６】
前記課題を達成するために本発明は、室内吸込口により室内に通じる内気空間部と、室外吸込口によって室外に通じる外気空間部を混合室によって連絡させた下面の開放した本体箱体に給気送風機を組込み、給気送風機の吸込口を混合室に連絡させ、給気送風機の吐出口を本体箱体の開放した下面に設けた室内に通じる室内吹出口に臨ませて、混合室で混合した室内の空気と外気を給気送風機によって攪拌して室内吹出口から室内へ吹出すように構成するとともに、混合室に通じる外気空間部に空気浄化フィルターを着脱可能に設け、室外吸込口から吸込まれる外気については、常にこの空気浄化フィルターを通過するようにする手段を採用する。
【０００７】
前記課題を達成するために他の発明は、外気を取込む給気送風機を組込んだ下面の開放した本体箱体の前面には、樹脂製の化粧パネルが蓋状態に着脱可能に装着され、本体箱体の下面には室内吹出口が開口し、風路の上流部にはフィルターが設けられた換気装置について、その化粧パネルを、支持枠と、支持枠の表面側を覆う回動可能に設けられたパネルとから構成し、パネルには室内吹出口に通じる吹出し開口を周辺部に設け、パネルを回動させることにより、フィルターが呈出する構成とする手段を採用する。
【発明の効果】
【０００８】
上記手段を採用することにより、給気送風機を停止しても室内に通り抜ける外気に含まれる花粉や塵、そして虫などは空気浄化フィルターで除去される。
【０００９】
また、上記手段を採用することにより、化粧パネル全体を外さなくてもパネルを回動して開くだけでフィルターのメンテナンスができる。
【発明を実施するための最良の形態】
【００１０】
本発明の換気装置は、本体の大半が天井裏空間に収まるように建物の天井構造に取付けられ、ダクトを介して吸込んだ室外の空気を、室内の空気と混合して室内へ給気するものである。換気装置そのものは、箱型の樹脂製の本体箱体と、この本体箱体内に組付けられた給気送風機と、本体箱体の一側に設けられた室外吸込口に係脱可能に装着されるダクト接続枠と、本体箱体の下面の開口部に天井面に沿って二個の固定バネで吊り装着される化粧パネルとから構成されている。給気送風機は多翼式であり、本体箱体の一側の室外吸込口から本体箱体の下面に配置された室内吹出口に向かう給気流を形成するものである。給気送風機の樹脂製のファンケーシングは、相互に隔てられた内気空間部と外気空間部と、混合室とスクロール室と室内吹出口を有し、その外気空間部は室外吸込口に通じ、混合室を経てスクロール室に通じている。内気空間部は、ファンケーシングの下面に設けられた室内吸込口から混合室に通じている。外気空間部には、ファンケーシングの下面側において抜き差しできる空気浄化フィルターが設けられている。
【００１１】
化粧パネルは、本体箱体の下面に固定バネで吊り装着される支持枠と、この支持枠の表面側を覆う回動可能に設けられたパネルとからなる。パネルには室内吹出口に通じる吹出し開口を支持枠との間の周辺部に備えている。このパネルを回動させ、開くことにより、化粧パネル全体を外すことなく空気浄化フィルターをメンテナンスすることができる。
【００１２】
給気送風機の運転により、外気が室外吸込口から外気空間部に吸込まれ、花粉や塵、そして虫などが空気浄化フィルターで除去され、混合室に入る。これと併行して室内の空気が室内吸込口から内気空間部に吸込まれ混合室に入る。外気空間部と内気空間部から吸込まれた外気と室内の空気は混合室で混合され、さらに給気送風機に吸込まれて羽根車の回転により十分に攪拌され、ミキシングされて室内吹出口から吹出される。室内吹出口から吹出される空気は、外気と室内の空気が良くミキシングされた室内の温度に関する状態量に近づけられた状態量の空気であり、花粉や塵、そして虫などが除去された清浄な空気である。この空気浄化フィルターは、給気送風機を停止した状態でも機能し、外気の風路からの花粉や塵、そして虫などの室内への侵入を防ぐ。空気浄化フィルターは外気のみ通過し、室内の空気は空気浄化フィルターを通過しないため、空気浄化フィルターの目詰まり時間は長くなりメンテナンスの頻度を抑えられる。また、仮に空気浄化フィルターが目詰まりした場合でも、室内空気は十分に送風されるため、給気送風機に過負荷が掛からず給気送風機の故障を防ぐ。
【００１３】
実施の形態１．
図１は、本実施の形態の換気装置の横断平面図、図２は、換気装置全体の斜視図、図３は、パネルを開いた状態の換気装置の斜視図、図４は、化粧パネルを外して示した換気装置の斜視図、図５は、換気装置の分解斜視図、図６は、前面隔壁部材の斜視図、図７は、端子カバー部分の拡大断面図、図８は、収納ケースの分解斜視図、図９は、収納ケースの斜視図、図１０は、化粧パネル部分の拡大断面図、図１１は、給気送風機の電動機と羽根車の構成を示す断面図、図１２は、フィルター枠の構成を示す斜視図である。
【００１４】
この換気装置は、本体の大半が天井裏空間に収まるように建物の天井構造に取付けられ、ダクトを介して吸込んだ室外の空気を、室内の空気と混合して室内へ給気するものである。換気装置そのものは、箱型の樹脂製の本体箱体１と、この本体箱体１内に組付けられた給気送風機２と、本体箱体１の一側に設けられた室外吸込口３に係脱可能に装着されるダクト接続枠４と、本体箱体１の下面の開口部５に嵌め装着された前面隔壁部材６と、天井面に沿って二個の固定バネで吊り装着される化粧パネル７とから構成されている(図１〜図５参照)。室外吸込口３には、シャッター８を装着できるようになっていて、長期にわたって換気装置を停止するような時には、シャッター８の装着で室外吸込口３を閉止しておくことができる。シャッター８を装着した状態にて給気送風機２を運転された場合でも、室内の空気を送風する風路は確立されており、給気送風機２に過負荷が掛からず、給気送風機２の故障を防止できる。
【００１５】
給気送風機２は多翼式であり、本体箱体１の一側の室外吸込口３から本体箱体１の下面に配置された室内吹出口９に向かう外気の給気流を形成するものである。給気送風機２の樹脂製のファンケーシング１０は、相互に隔てられた内気空間部１１と外気空間部１２と、混合室１３と羽根車１４の収まるスクロール室１５とスクロール室１５に通じる室内吹出口９を有し、その外気空間部１２は室外吸込口３に通じ、混合室１３を経てスクロール室１５に通じている（図５参照）。内気空間部１１は、ファンケーシング１０の下面に設けられた室内吸込口１６から混合室１３に通じている。外気空間部１１には、ファンケーシング１０の下面側において抜き差しできる空気浄化フィルター１７が設けられている。ファンケーシング１０の室内吹出口９は、ショートサーキットを回避すべく室内吸込口１６に段差を持って下位に形成されている。給気送風機２の電動機１８は、本体箱体１を風路側と反風路側に仕切る縦に設けられた電動機取付板１９の反風路側に取付けられている（図５参照）。電動機取付板１９の電動機１８の出力軸が引出される部分の風路側には、リング状の立上り２０が設けられ、給気送風機２の羽根車１４のボス２１には、この立上り２０の内側に隙間をもって嵌まる筒状のリブ２２が設けられている（図１１参照）。これにより、この部分の防水が図られ、電動機１８の軸受等が水の侵入から保護される。
【００１６】
前面隔壁部材６は、合成樹脂の一体成形物で構成され本体箱体１の下面の開口部５に水密状態に蓋状に嵌め装着されている。この前面隔壁部材６には、反風路側の端子口２３とともに室内吹出口９に連通する隔離壁２４で囲まれた矩形の第一の開口部２５と、室内吸込口１６に連通する矩形の第二の開口部２６と、空気浄化フィルター１７を入れる窓２７及び空気浄化フィルター１７のフィルター枠２９を固定する固定部としての弾性爪３０が設けられている。第二の開口部２６には、その開口面積をスライド操作により可変してその開口面積を可変にする風量調整板３１が設けられ、室内の空気の混合比率を調整することができる（図５参照）。この前面隔壁部材６の対向側部には、固定バネの開脚した二本のバネ脚を掛止める取付構造がそれぞれ一体成形されている。この前面隔壁部材６の本体箱体１への固定によって、給気送風機２全体が特別な固定部品無しに本体箱体１内にしっかりと固定される。隔離壁２４は、室内吹出口９からの吹出し気流と、室内吸込口１６に吸込まれる気流とのショートサーキットを防止する。
【００１７】
前面隔壁部材６の端子口２３に対向する本体箱体１の天面内面には、印籠による嵌合い形態となる溝付きの突条が構成され、端子口２３の開口端との間に保護スリーブが設けられている。端子口２３には印籠による嵌合い３３により水密状態に密閉する、ヒンジによって開閉可能な端子カバー３４が設けられている（図７参照）。端子カバー３４は、前面隔壁部材６に設けられた係止突起３５に掛止まる辺縁によって閉止される。これにより、高湿度雰囲気下でも保護スリーブ内は湿気から隔絶される。本体箱体１の天面部における保護スリーブ端が対応する位置には、給気送風機２に入力する外部電源電線を本体箱体１内に引込むための開口部が設けられ、引込まれた外部電源電線には速結端子を持つ接続ターミナル３６が設けられている。
【００１８】
接続ターミナル３６は、図８，図９に示すように鋼板製の端子取付板に取付られ、端子取付板に設けられたブッシュを介して本体箱体１の天面から引込まれた外部電源電線が接続ターミナル３６に接続されている。端子取付板には、電動機回転駆動用のコンデンサー３７及び速度調整用の分圧コンデンサー３８も取付けられ、カバーで覆われて収納ケース３９を構成している。収納ケース３９は、その全体が保護スリーブで囲い込まれている。この他、端子取付板にはアース端子が接続され、端子取付板とカバーとは電気的に接続されている。速結端子の結線作業に当っては、端子カバー３４を摘みを持って開け、結線して閉じるだけで特別な工具も必要なく、ネジ締め操作もなくいたって容易で、施工性が良い。前面隔壁部材６と端子カバー３４とは密閉性の高い印籠の嵌合い３３であり、電気部品の湿気からの保護は確実である。
【００１９】
化粧パネル７は、図３に示すように前面隔壁部材６に固定バネで吊り支持される支持枠４０と、この支持枠４０の表面側を、間隔をおいて覆う回動可能に設けられたパネル４１とから構成されている。パネル４１の反ヒンジ側には係合爪４２が、これに対応する支持枠４０には係合爪４２を係合し、係止する係合部４３が設けられている。また、支持枠４０には室内吸込口１６に通じる正面の吸込み開口４４と、室内吹出口９に通じる吹出し開口４５が設けられている。化粧パネル７の支持枠４０の吹出し開口４５と吸込み開口４４を隔てる離隔壁４６が設けられ、両者間でのショートサーキットが防止される。支持枠４０にはその縁部に吹出し空気流をパネル４１側に向ける風向変更構造４７が設けられていて、天井面から吹出し気流を離反させ、天井面の汚れを防ぐ構造が採られている（図１０参照）。また、パネル４１の縁部及び縁部より内側には背面側に立つ図１０に示すような立上り４８が設けられ、給気に多量のミスト状の水滴が含まれているような場合にドレンとなり滴下するようなことがあっても、パネル４１で受容され床などに滴下するようなことはない。支持枠４０の矩形の吹出し開口４５には、これを対角線状態に跨ぐ整流板４９が設けられ、吹出し処理風量が均一化される。
【００２０】
化粧パネル７の支持枠４０とパネル４１の間には、芳香等を発散するカートリッジを収納できる収納部５０が設けられ、室内へ吹出される空気に芳香等を帯びさせることができる。なお、空気浄化フィルター１７はフィルター枠２９に収められているが、このフィルター枠２９に機能の異なる数種の空気浄化フィルター１７を図１２に示すように装着するように構成してもよい。例えば、花粉除去フィルターと脱臭フィルターとの組合わせや、ＶＯＣ除去フィルターの組合わせなどにより、多機能的な空気浄化が実現する。
【００２１】
この換気装置は、通常にあってはシャッター８を外した状態で運転される。室外吸込口３の開口面積は、室内吸込口１６の開口面積の二倍程度広く、室外吸込口３から７０％、室内吸込口１６から３０％の空気を吸込み、混合室１３で混合し、給気送風機２で確り攪拌して室内吹出口９から室内へミキシング空気として供給される。また、風量調整板３１のスライド操作で、室内の空気の混合比率を変えて室内へ吹出す混合気の温度を変えることもできる。空気清浄フィルター１７のメンテナンスは、化粧パネル７のパネル４１を回動させて開けば、前面隔壁部材６に設けた弾性爪３０から空気清浄フィルターを引抜くことができ、化粧パネル７全体を外さなくても簡単に行うことができる。また、本化粧パネル７の構造は排気用換気装置に適用した場合においても、パネルを回動させて開けば、清掃等のメンテナンスを容易に実施することができる。
【図面の簡単な説明】
【００２２】
【図１】換気装置の横断平面図である。（実施の形態１）
【図２】換気装置全体の斜視図である。（実施の形態１）
【図３】パネルを開いた状態の換気装置の斜視図である。（実施の形態１）
【図４】化粧パネルを外して示した換気装置の斜視図である。（実施の形態１）
【図５】換気装置の分解斜視図である。（実施の形態１）
【図６】前面隔壁部材の斜視図である。（実施の形態１）
【図７】端子カバー部分の拡大断面図である。（実施の形態１）
【図８】収納ケースの分解斜視図である。（実施の形態１）
【図９】収納ケースの斜視図である。（実施の形態１）
【図１０】化粧パネル部分の拡大断面図である。（実施の形態１）
【図１１】給気送風機の電動機と羽根車の構成を示す断面図である。（実施の形態１）
【図１２】フィルター枠の構成を示す斜視図である。（実施の形態１）
【符号の説明】
【００２３】
１  本体箱体、  ２  給気送風機、  ３  室外吸込口、  ５  開口部、  ６  前面隔壁部材、  ７  化粧パネル、  ９  室内吹出口、  １１  内気空間部、  １２  外気空間部、  １３  混合室、  １４  羽根車、  １６  室内吸込口、  １７  空気浄化フィルター、  １８  電動機、  ２０  立上り、  ２１  ボス、  ２２  リブ、  ２４  隔離壁、  ２９  フィルター枠、  ３０  弾性爪、  ３１  風量調整板、  ３３  印籠による嵌合い、  ３４  端子カバー、  ３５  係止突起、  ３６  接続ターミナル、  ４０  支持枠、  ４１  パネル、  ４２  係合爪、  ４３  係合部、  ４６  離隔壁、  ４７  風向変更構造、  ４８  立上り、  ４９  整流板、  ５０  収納部。
【図１】
2006250389.tif 000003
【図２】
2006250389.tif 000004
【図３】
2006250389.tif 000005
【図４】
2006250389.tif 000006
【図５】
2006250389.tif 000007
【図６】
2006250389.tif 000008
【図７】
2006250389.tif 000009
【図８】
2006250389.tif 000010
【図９】
2006250389.tif 000011
【図１０】
2006250389.tif 000012
【図１１】
2006250389.tif 000013
【図１２】
2006250389.tif 000014